(57)【要約】【課題】植物種子の搾油、および、その植物種子を原料としたブリケット製造を同時に行うことのできるシステムを提供すること。【解決手段】本発明に係るシステムは、植物種子を破砕するための破砕機と、その破砕機から送られる破砕された植物種子を受け入れるブリケット成形筒と、ブリケット成形筒内の砕破された植物種子を搾油するための圧搾機とを備えている。このため、圧搾機で搾油するのと同時に、ブリケットの製造を同時に行うことができる。【選択図】図１
2010248390.tif 000002
【特許請求の範囲】
【請求項１】
植物種子の搾油およびブリケット製造のためのシステムであって、
前記植物種子を破砕するための破砕機と、
前記破砕機で破砕された植物種子を受け入れるブリケット成形筒と、
前記ブリケット成形筒内の破砕された植物種子を搾油するための圧搾機とを備えることを特徴とするシステム。
【請求項２】
請求項１に記載のシステムであって、
前記ブリケット成形筒が、円筒形で、心棒を有し、前記破砕された植物種子を受け入れる側の一方の底は開放されていて、他方の底は孔を有する蓋を有し、
前記孔は破砕された種子が通過しない大きさであることを特徴とする、請求項１に記載のシステム。
【請求項３】
請求項１または２に記載のシステムであって、
複数の前記ブリケット成形筒が円状に配置され、
一つのブリケット成形筒が前記破砕された植物種子を受け入れた後、前記円状に配置されたブリケット成形筒が一方向へ回転し、当該ブリケット成形筒が前記圧搾機の挿入部を受け入れることを特徴とするシステム。
【請求項４】
請求項３に記載のシステムであって、５本の前記ブリケット成形筒を備えることを特徴とするシステム。
【請求項５】
植物油の搾油およびブリケット製造方法であって、
植物種子を破砕する工程と、
破砕された植物種子をブリケット成形筒に輸送する工程と、
前記ブリケット成形筒内の前記破砕された植物種子を圧搾して搾油すると同時にブリケットを成形する工程とを含むことを特徴とする製造方法。
【発明の詳細な説明】
【技術分野】
【０００１】
本発明は、植物種子の搾油とブリケット製造のためのシステム、および、植物種子の搾油とブリケット製造方法に関する。
【背景技術】
【０００２】
植物種子の搾油方法、および、バイオマス含有ブリケットの製造方法は、それぞれ周知技術として知られており（例えば、特許文献１〜３参照）、そのための各装置も市販されている。開示されている従来の方法によると、バイオブリケットは、植物種子から搾油した後で、搾油された種子を成形して二段階で製造された。
【先行技術文献】
【特許文献】
【０００３】
【特許文献１】特開２００４−３３１９２８号公報
【特許文献２】特開２００６−５１７０００号公報
【特許文献３】特開２００４−１８８４９号公報
【発明の概要】
【発明が解決しようとする課題】
【０００４】
本発明は、効率の良い植物種子の搾油およびブリケット製造のためのシステムを提供することを目的とする。
【課題を解決するための手段】
【０００５】
本発明に係るシステムは、植物種子の搾油およびブリケット製造のためのシステムであって、前記植物種子を破砕するための破砕機と、前記破砕機で破砕された植物種子を受け入れるブリケット成形筒と、前記ブリケット成形筒内の破砕された植物種子を搾油するための圧搾機とを備えることを特徴とする。この圧搾機による搾油により、ブリケットの製造も同時に行われる。
【０００６】
ここで、「ブリケット成形筒」の構造について、円筒形で、心棒を有し、前記破砕された植物種子を受け入れる側の一方の底は開放されていて、他方の底は孔を有する蓋を有し、前記孔は破砕された種子が通過しない大きさであることが好ましい。
【０００７】
さらに、本発明に係るシステムにおいて、複数の前記ブリケット成形筒が円状に配置され、一つのブリケット成形筒が破砕された植物種子を受け入れた後、前記円状に配置されたブリケット成形筒の集合体が一方向へ回転し、当該ブリケット成形筒が前記圧搾機を受け入れることが好ましい。また、ブリケット成形筒の数は５本であることがより好ましい。
【０００８】
本発明に係る製造方法は、植物油の搾油およびブリケット製造のための方法であって、植物種子を破砕する工程と、破砕された植物種子をブリケット成形筒に輸送する工程と、前記ブリケット成形筒内の前記破砕された植物種子を圧搾して搾油すると同時にブリケットを成形する工程とを含むことを特徴とする。
【発明の効果】
【０００９】
本発明により、効率の良い植物種子の搾油およびブリケット製造のためのシステムを提供することが可能となった。
【図面の簡単な説明】
【００１０】
【図１】本発明の一実施形態である、搾油・ブリケット製造システムの構成概要を示す図である。
【図２】本発明の一実施形態である、破砕機の構成を示す図である。
【図３】本発明の一実施形態である、ブリケット成形筒の構成を示す図である。
【図４】本発明の一実施形態である、圧搾機の挿入部の構成を示す図である。
【発明を実施するための形態】
【００１１】
以下、上記知見に基づき完成した本発明の実施の形態を、図を参照し、詳細に説明する。
【００１２】
なお、本発明の目的、特徴、利点、及びそのアイデアは、本明細書の記載により、当業者には明らかであり、本明細書の記載から、当業者であれば、容易に本発明を再現できる。以下に記載された発明の実施の形態及び具体的な実施例等は、本発明の好ましい実施態様を示すものであり、例示又は説明のために示されているのであって、本発明をそれらに限定するものではない。本明細書で開示されている本発明の意図ならびに範囲内で、本明細書の記載に基づき、様々に修飾ができることは、当業者にとって明らかである。
【００１３】
本発明に係る植物種子の搾油・ブリケット製造システムは、破砕した植物種子から搾油するのと同時にブリケットの作製を行うためのシステムである。このシステムを用いることで、従来の方法に比較して、搾油およびブリケット製造の迅速化とコスト低減が可能となる。
【００１４】
図１は、本発明の一実施形態としての、植物種子の搾油・ブリケット製造システム１の構成を示す図である。本システムは、植物種子を破砕するための破砕機２（図２）、ブリケット成形筒３（図３）、圧搾機４（図４）を備える。
【００１５】
本システムの規模は、必要とする搾油量、および、製造するブリケットの大きさや数を考慮して当業者が任意に選択することができ、以下に説明する各機器を一つずつ備えていても、あるいは、複数備えていてもよい。
【００１６】
本システムにおいて、植物種子は、破砕機２で破砕される。ここで、本システムが、植物種子の洗浄のための洗浄機、種子の乾燥のための乾燥機、異物除去のための篩等を併備し、破砕機２によって植物種子を破砕する前に、これらの機器のうち、一つ以上の機器で植物種子を処理してもよい。
【００１７】
破砕機２は、通常植物や植物種子を切断・破砕するために通常用いられるものの中から、植物種子の大きさや望ましい破砕粒度を考慮して当業者が適宜選択することができる。搾油のために好ましい植物種子の破砕粒度は通常５〜１０ｍｍであり、例えば、回転刃や固定刃を有する破砕室と、その下部に破砕粒度を調節するための篩とを備えるウィレー粉砕機や、臼を備える臼式製粉機、２枚の破砕板によって種子を押しつぶすジョークラッシャー等により破砕することができるが、これらに限定されない。破砕機２について、破砕圧力、電動機の規模（ｋＷ）、内寸・外寸等は、当業者が適宜選択できる。破砕機２において、植物種子を破砕するための破砕部の材質は植物種子を破砕することができる範囲内で特に制限はなく、例えば、刃式の場合、マンガン鋼、ステンレス、タングステンカーバイド、酸化ジルコニウム等をはじめとする各種鋼や合金であってもよく、また、臼式の場合には、花崗岩、安山岩、フランス石をはじめとする天然石や自然混合石等であってもよい。
【００１８】
植物種子について、植物の種類は、通常搾油やブリケット製造に用いられる周知の植物から、目的に応じて当業者が適宜選択することができる。例えば、ジャトロファ、大豆、菜種、トウモロコシ、胡麻、綿実、米、ひまわり、ブドウ等が挙げられるが、これらに限定されない。また、種子は単一種でも、２以上の異なる種を混合して使用してもよく、その配合は当業者が適宜選択できる。
【００１９】
さらに、ブリケットの成形、移動、保存、および、燃料としての性質を考慮して、破砕された種子に植物種子以外の燃料成分や増粘成分を添加してもよい。この場合、破砕機２の前に混合槽を設置してその成分を混合しても、あるいは、破砕された種子にその成分を混合するように、破砕機２の後に混合槽を設置してもよい。植物種子以外の燃料成分としては、通常燃料に使用される石炭や、木材バガス、藁、トウモロコシの茎などのバイオマスが例示でき、また、増粘成分としては、石炭ピッチ、石油ピッチ、澱粉、粘土、カルボキシメチルセスロース等が例示できるが、これらに限定されない。ただし、これらの添加物の混合により、後の工程で搾油される植物油に不純物が混入した場合には、これを分離する工程を設けてもよい。
【００２０】
次に、破砕機２で破砕された植物種子は、破砕機２の排出口５から排出され、ブリケット成形筒３に輸送される。図１に示すように排出口５と成形筒３は近接していることが好ましいが、排出口５と成形筒３の間が破砕された種子を輸送するための輸送管やベルトコンベア等で接続されていてもよい。排出口５からの破砕された種子の排出および輸送は、手動で行ってもよいが、工程の効率化のためには破砕機２が輸送のための設備を併備することが好ましい。例えば、スラリーポンプやギアポンプをはじめとする輸送ポンプ、あるいはスクリュー式押出機等が挙げられるが、破砕された種子をブリケット成形筒３へ輸送できる範囲内で制限されない。
【００２１】
図３に示すように、このブリケット成形筒３は、筒形で、心棒６を有し、破砕された植物種子を受け入れる一方の側の底は開放されていて、もう一方の底は排油孔８を有する蓋７を有することが好ましい。排油孔８は、ブリケット成形筒３に送りこまれた破砕された種子が、事実上通過しない大きさであることが好ましく、例えば、ジャトロファの種子を粒度５〜１０ｍｍ程度に破砕した場合、直径１〜３ｍｍであることが好ましい。
【００２２】
このブリケット成形筒３の胴部の材質は、筒状に加工可能で、なおかつ、破砕された植物種子を受け入れた後、搾油機によって植物種子を圧搾するために十分な強度を有する材質であれば制限はなく、例えば、マンガン鋼、ステンレス、タングステンカーバイド、酸化ジルコニウム等が挙げられる。ブリケット成形筒３の形状は筒状であれば、特に制限されず、円筒形であっても、あるいは、三角形、四角形や六角形をはじめとする多角形の角筒形であってもよく、また、心棒数は一本であっても複数であってもよい。ブリケット成形筒３の直径、内寸、外寸等は製造するブリケットの用途を考慮して当業者が適宜選択することができる。
【００２３】
蓋における排油孔の形状について、後の工程で搾油される種子の油を排出し、なおかつ、破砕された種子を保持できる範囲内で制限されず、円や楕円等の丸みを帯びた形状、三角形、四角形や六角形等の多角形、あるいは、細長いスリット状や星形等から当業者が任意に選択できる。この排油孔８の配置は、蓋のいずれの部位であってもよく、複数存在する場合には、均等に存在していても、偏在していてもよい。このように、破砕された種子は、ブリケット成形筒３に輸送され、充填される。
【００２４】
破砕機２による植物種子を破砕する工程、および、破砕された植物種子をブリケット成形筒に輸送する工程を行う温度、湿度、気圧等の環境は、種子の破砕および輸送が適切に行える範囲内で制限がないが、例えば、過剰な加温による油の酸化等が起こらないように調節されていることが好ましい。このため、必要に応じて、破砕機周囲に温度を調節するための冷却機等を備えていてもよい。
【００２５】
圧搾機４はブリケット成形筒３に挿入され、圧搾を行うための挿入部９を有している。圧搾機４は、ブリケット成形筒３内に送りこまれた破砕された植物種子を常法に従った圧力（通常、最大６００ｋｇ／ｃｍ２程度）で圧搾することによって搾油するのと同時に、その搾油された植物種子が成形筒の有する心棒数と同数の孔をもつ筒形に成形される。従って、圧搾機挿入部９は、ブリケット成形筒３の凹凸を反転させた形状であることが好ましい。すなわち、図４に示すように、挿入部９はブリケット成形筒３と同形の柱状であって、ブリケット成形筒３が心棒６を有する位置に筒状の孔１０を有していることが好ましい。ただし、挿入部９の形状はこれに限定されず、例えば、種子を圧搾する部分がブリケット成形筒３の横断面と同形のディスクであって、このディスクがブリケット成形筒３の心棒を通すための孔を有し、さらにこのディスクをブリケット成形筒３に押し込むための支柱を備えていてもよい。このとき、搾油された植物油は、ブリケット成形筒３の底にある排油孔８から採取することができる。
【００２６】
この搾油された植物油を受け入れるための搾油槽１１を、排油孔８の下部に併備してもよい。
【００２７】
なお、ブリケット成形筒３内部に受け入れられ、ブリケット成形筒内に送りこまれた種子を圧搾するという機能を果たすため、挿入部９の外径はブリケット成形筒より小さいことが必要であって、圧搾工程で種子が漏れ出すことがないように、ブリケット成形筒内部に隙間なく受け入れられる外径であることが好ましい。
【００２８】
圧搾機４の作動、すなわち挿入部９の圧搾動作は手動で行ってもよいが、制御装置１２を併備させて挿入部９を自動的に制御してもよい。圧搾動作を制御装置により行う場合、制御装置は、ブリケット成形筒３に挿入部９を挿入し、圧搾動作後、挿入部をブリケット成形筒から抜き出すという一連の動作を行うことのできる周知の制御装置から当業者が適宜選択することができ、例えば、ピストンポンプ等が挙げられるが、これに制限されない。このように何らかの制御装置を備える場合、その制御装置の稼働に必要となる周辺機器を併備していてもよい。
【００２９】
ブリケット成形筒内の破砕された植物種子を圧搾すると同時にブリケットを成形する工程を行う温度、湿度、気圧等の環境は、本工程を適切に行うことができる範囲内で制限がないが、例えば、搾油効率を考慮すると適度な加温を行うことが好ましい。加温温度は搾油する植物種子の種類により、当業者が適宜選択することができるが、通常オリーブでは約５０℃、ゴマでは約６０℃、ジャトロファでは約７０℃等を例示できる。このため、必要に応じて圧搾機やブリケット成形筒周囲に温度を調節するための加温機等を備えてもよい。
【００３０】
ここで、搾油およびブリケット製造の効率化のために、本発明に係る製造システムは複数のブリケット成形筒３を備えていてもよく、その場合、ブリケット成形筒が互いに隣接して円状に配置され、このブリケット成形筒３が一方向へ回転するように設計してもよい。
【００３１】
例えば、図１にあるように、本発明の製造システムがブリケット成形筒３を５本備える場合、第１のブリケット成形筒３が破砕機２から破砕された種子を受け入れた後、円状に配置されたブリケット成形筒３が一方向へ回転し、挿入部９を第１のブリケット成形筒３が受け入れる。ブリケット成形筒３は一方向に回転し続け、破砕機の前に到達したブリケット成形筒に順に破砕された種子を送りこむ。破砕された種子を送り込まれたブリケット成形筒は、回転することによって圧搾機４の前に到達したとき、挿入部９を受け入れる。この工程が繰り返されることによって、植物種子の破砕及び圧搾を効率よく行うことができる。
【００３２】
この場合、ブリケット成形筒の回転は手動で行ってもよいが、ブリケット製造の効率化を考慮すると電動機等の制御装置１３を併備させて回転を自動的に制御してもよい。その場合、制御装置１３は周知の装置から当業者が適宜選択して用いることができる。５本のブリケット成形筒が、制御装置１３に接続した軸１４の周囲に配置されている構成を図１に示す。
【００３３】
このように本発明の製造システムが複数のブリケット成形筒３を備える場合、破砕機２が破砕された種子の排出口を複数有していてもよく、さらに、圧搾機４あるいは挿入部９が複数備えられていてもよい。本システムがこの構成を有することによって、複数のブリケット成形筒３が破砕された種子を破砕機２から同時に受け入れ、複数のブリケット成形筒３内の種子が複数の圧搾機により同時に搾油されることが可能となり、搾油およびブリケット製造の効率化を図ることができる。
【００３４】
本発明に係る、植物油の搾油およびブリケット製造システムによって製造されるブリケットの水分含有量や油分含有量は、そのブリケットの使用目的に合わせて当業者が適宜決定することができる。所定の水分含有量や油分含有量を有するブリケットを製造するために、本発明に係る製造方法の各工程において、当業者が適宜調節工程を加えることができる。例えば、ブリケットがガス化発電設備等におけるガス化に使用される場合、ブリケットの水分含有量は１５％以下であることが好ましい。この場合、成形されたブリケットを周知の乾燥法により乾燥させて水分含有量を調節しても、原料となる種子を破砕する前に乾燥させて水分含有量を調節しても、あるいは、本システムにおけるその他の工程において水分含有量を調節してもよい。なお、乾燥法は当業者に周知の乾燥法から適宜選択でき、例えば、天日干ししても、周知の除湿機や乾燥機を用いても、制限はない。
【符号の説明】
【００３５】
１  植物種子の搾油・ブリケット製造システム
２  破砕機          ３  ブリケット成形筒
４  圧搾機          ５  排出口
６  心棒            ７  蓋
８  排油孔          ９  挿入部
１０  挿入部の孔    １１  搾油槽
１２  制御装置      １３  制御装置
１４  軸  
【図１】
2010248390.tif 000003
【図２】
2010248390.tif 000004
【図３】
2010248390.tif 000005
【図４】
2010248390.tif 000006